(57)【要約】【課題】オープンシールド機によって掘進する過程においてオープンシールド機の側面板よりも外側に存する土砂が崩れることを防止又は減少させることができるオープンシールド機を提供する。【解決手段】オープンシールド機の両側面板の少なくとも一方の前縁近傍から出没自在になるように前後方向に移動自在に支持される可動板と、該可動板を前後方向に駆動する駆動手段と、を備えてなる、オープンシールド機である。前記可動板が、前記一方の前縁に沿って上下方向に複数枚配設されるものであってもよい。前記両側面板の両方に前記可動板が配設されるものであってもよい。前記可動板の前縁に沿って刃先が形成されるものであってもよい。【選択図】　図３
2004116179.tif 000002
【特許請求の範囲】
【請求項１】
オープンシールド機の両側面板の少なくとも一方の前縁近傍から出没自在になるように前後方向に移動自在に支持される可動板と、
該可動板を前後方向に駆動する駆動手段と、
を備えてなる、オープンシールド機。
【請求項２】
前記可動板が、前記一方の前縁に沿って上下方向に複数枚配設されるものである、請求項１に記載のオープンシールド機。
【請求項３】
前記両側面板の両方に前記可動板が配設されるものである、請求項１又は２に記載のオープンシールド機。
【請求項４】
前記可動板の前縁に沿って刃先が形成されるものである、請求項１乃至３のいずれかに記載のオープンシールド機。
【請求項５】
請求項１乃至４のいずれかに記載のオープンシールド機を用いて行うオープンシールド工法であって、
前記一方よりも外側に存する土砂が前記一方の前縁よりも前方に存する空間を経て前記オープンシールド機に流入することを、前記可動板を前方向に移動させて防止又は減少させる可動板移動ステップを含むことを特徴とする、工法。
【請求項６】
前記オープンシールド機が前進して土砂を掘削する前進ステップの後に、前記可動板移動ステップを行うものである、請求項５に記載の工法。
【発明の詳細な説明】
【０００１】
【発明の属する技術分野】
本発明は、上下水道管やボックスカルバート等の地中構造物を埋設するために用いられるオープンシールド機に関し、より詳細には、オープンシールド機によって掘進する過程においてオープンシールド機の側面板よりも外側に存する土砂が崩れることを防止又は減少させることができるオープンシールド機に関する。
【０００２】
【従来の技術】
上下水道管やボックスカルバート等の地中構造物を埋設するために、従来から、オープンシールド機を用いたオープンシールド工法が多用されてきた。オープンシールド工法は、牽引式又は自走式のオープンシールド機を土中に埋入させ、該オープンシールド機の内部空間において地中構造物を連結することと土砂を前方向に向けて掘削し該オープンシールド機を前進させることとを順次行いつつ、該オープンシールド機の後方に位置する地中構造物を埋め戻すこと（土砂やモルタル等が用いられることが多い。）を行うことで、地中構造物を連続的に埋設することができるものである。かかるオープンシールド工法やオープンシールド機等については、既に多くの出願がなされており詳しい説明は省略するが、例えば、昭和６２年特許出願公開第１３３２９４号（特許文献１）や平成３年特許出願公開第１６９９１４号（特許文献２）等には詳しい説明がなされている。
【０００３】
図７は、従来から使用されてきたオープンシールド機の平面図である。図７を参照して、従来から使用されてきたオープンシールド機１０１について説明する。オープンシールド機１０１は、本出願人が以前出願した平成５年実用新案出願公告第２１５３８号（特許文献３）の実施例に記載されているオープンシールド機と同様のものであり、具体的には、フロントフレーム１とテールフレーム２とが前後方向（図７中、前方向を矢印Ｆにて、後方向を矢印Ｂにて、それぞれ示す。）に互いにスライド自在に取り付けられると共に、フロントフレーム１とテールフレーム２との間に推進ジャッキ３が取り付けられている。このため推進ジャッキ３をのばすとフロントフレーム１とテールフレーム２との間がのびるので、オープンシールド機１０１の後方に土砂（例えば、埋め戻されたもの）が存すれば、該土砂の前端を後方に向けて押し固めると共にその押し固めによって生じる前方への反力によってフロントフレーム１が前進し、次いで、推進ジャッキ３を縮めるとテールフレーム２が前方へ移動し、その後、オープンシールド機１０１の後方に土砂を埋め戻し、再び、推進ジャッキ３をのばすと、土砂の前端を後方に向けて押し固めると共にその押し固めによって生じる前方への反力によってフロントフレーム１が再び前進する。このように推進ジャッキ３をのばす（後方の土砂の押し固めと、フロントフレーム１が前進）、推進ジャッキ３を縮める（テールフレーム２が前進）、後方に土砂を埋め戻す、という工程を繰り返すことによって、オープンシールド機１０１の後方の土砂を押し固めつつオープンシールド機１０１を前進させることができる。
【０００４】
【特許文献１】
特開昭６２−１３３２９４号公報
【特許文献２】
特開平０３−１６９９１４号公報
【特許文献３】
実公平０５−２１５３８号公報
【０００５】
【発明が解決しようとする課題】
しかしながら、上記したようなオープンシールド工法においては、土砂等を前方向に向けて掘削しオープンシールド機を前進させる工程を行う際、オープンシールド機の側面板の前縁がキーブロック（そのブロックの崩壊によって他のブロックの崩壊を引き起こすブロックをいう。）を崩壊させることによって、そのキーブロック周囲に存する土砂等が多量に崩壊する場合があった。
図８は、キーブロックの崩壊によるその周囲の土砂の崩壊を説明する図である。図８（ａ）はオープンシールド機の側面板の一方の前縁近傍を示す平面図であり（即ち、図７における円Ａ中の拡大図）、図８（ｂ）はオープンシールド機の側面板の一方の前縁近傍を示す図（即ち、図７における矢印Ｃ方向から見た図）である。オープンシールド機の側面板の一方１０３の前縁１０３ａ（この前縁には刃先が形成されている。）には大きな径（例えば、２００〜３００ｍｍ）の玉石１０５が当接している。この玉石１０５は、周囲の土砂等１０７（図８（ａ）及び（ｂ）中、石１０７ａ及び土砂１０７ｂを示した範囲）のキーブロックとなっている。
【０００６】
そして、図８に示した状態から、土砂等を前方向（図８中、矢印Ｆ方向）に向けて掘削するためオープンシールド機を前進させると、キーブロックたる玉石１０５が外れ、周囲の土砂等１０７の崩壊を引き起こす。周囲の土砂等１０７の崩壊のうちオープンシールド機の側面板１０３よりも外側（側面板１０３が含まれる平面の両側のうち、該オープンシールド機の内部空間を含まない側。図８（ａ）中、矢印Ｄによって示す。）に存する土砂が崩れることは、工事場所の周囲に陥没箇所を形成したり工事場所の周囲の地盤がゆるむことによって、周囲の構造物に障害を与えたり復旧に手間がかかるという大きな問題を引き起こしていた。なお、オープンシールド機の側面板１０３よりも外側に存する土砂が崩壊し始めたときに、オープンシールド機をさらに前進（図８中、矢印Ｆ方向）させ、該外側に存する土砂を側面板１０３によって支持することでそれ以上の崩壊をくい止めることも考えられるが、実際には、他の石１０７ａが側面板１０３の前縁１０３ａに当接することで、オープンシールド機をさらに前進させることは困難な場合が多く、該外側に存する土砂が崩壊することを、オープンシールド機をさらに前進させてくい止めることは困難であることが多い。
【０００７】
そこで、本発明では、オープンシールド機によって掘進する過程においてオープンシールド機の側面板よりも外側に存する土砂が崩れることを防止又は減少させることができるオープンシールド機を提供することを目的とする。
【０００８】
【課題を解決するための手段】
本発明のオープンシールド機（以下、「本機」という。）は、オープンシールド機の両側面板の少なくとも一方の前縁近傍から出没自在になるように前後方向に移動自在に支持される可動板と、該可動板を前後方向に駆動する駆動手段と、を備えてなる、オープンシールド機である。
こうすることで図８に示した状態からオープンシールド機を前進させ、キーブロックたる玉石１０５が外れ、周囲の土砂等１０７の崩壊が始まった際、駆動手段によって可動板を前方向に駆動し、可動板を側面板の前縁近傍から突出させれば、オープンシールド機の側面板（可動板が配設される前記一方）よりも外側（側面板が含まれる平面の両側のうち、オープンシールド機の内部空間を含まない側）に存する土砂が、該側面板（前記一方）の前縁よりも前方に存する空間を経てオープンシールド機に流入することを防止又は減少させることができ、オープンシールド機によって掘進する過程においてオープンシールド機の側面板よりも外側に存する土砂が崩れることを防止又は減少させることができる。
なお、前述のように、ここに「前」と「後」とは、オープンシールド機が掘進する方向（前）と、その反対方向（後）と、をそれぞれいう。
【０００９】
前記可動板が、前記一方の前縁に沿って上下方向に複数枚配設されるものであってもよい。
こうすることで前記一方の前縁の一部近傍に石等が存在することで、該一部近傍の可動板を前方向に駆動できない場合にも、該一部近傍の可動板以外の可動板を前方向に駆動することで、オープンシールド機の側面板（前記一方）よりも外側に存する土砂が、該側面板（前記一方）の前縁よりも前方に存する空間を経てオープンシールド機に流入することを防止又は減少させることができる。
【００１０】
前記両側面板の両方に前記可動板が配設されるものであってもよい。
こうすることでオープンシールド機の両側面板のいずれにも可動板が配設されるので、両側面板のいずれについても、可動板を前方向に駆動し可動板を側面板の前縁近傍から突出させることができるので、オープンシールド機の両側面板のいずれのものよりも外側に存する土砂が、側面板の前縁よりも前方に存する空間を経てオープンシールド機に流入することを防止又は減少させることができるので、オープンシールド機によって掘進する過程においてオープンシールド機の側面板よりも外側に存する土砂が崩れることを一層効果的に防止又は減少させることができる。
【００１１】
前記可動板の前縁に沿って刃先が形成されるものであってもよい。
こうすることで可動板の前縁が側面板の前縁から突出するように可動板を前方向に駆動した状態では、可動板の前縁に形成された刃先によって土砂等を掘削することができる。
さらに、側面板の前縁の前方に位置する土砂に、可動板の前縁に形成された刃先を差し込むようにすれば、側面板の前縁よりも前方に存する隙間を可動板によって確実に塞ぐことができるので該隙間を経て土砂等がオープンシールド機に流入することを一層確実に防止又は減少させることができると共に、土砂等によって可動板に加わる力の一部を側面板の前縁の前方に位置する土砂等に支持させることができるので、可動板の破損等を防止することができる。
【００１２】
本機を用いて行うオープンシールド工法（以下、「本法」という。）は、前記一方（側面板）よりも外側に存する土砂が前記一方（側面板）の前縁よりも前方に存する空間を経て本機（内部）に流入することを、前記可動板を前方向に移動させて防止又は減少させる可動板移動ステップを含む。こうすることで、前述の通り、可動板移動ステップによって可動板を前方向に移動させ、可動板を側面板の前縁近傍から突出させることで、オープンシールド機の側面板よりも外側に存する土砂が、該側面板の前縁よりも前方に存する空間を経てオープンシールド機に流入することを防止又は減少させることができ、オープンシールド工法においてオープンシールド機の側面板よりも外側に存する土砂が崩れることを防止又は減少させることができる。
【００１３】
本法は、前記オープンシールド機が前進して土砂を掘削する前進ステップの後に、前記可動板移動ステップを行うものであってもよい。
前述したように、オープンシールド工法においては、オープンシールド機が前進して土砂を掘削する前進ステップにおいてキーブロックが外れること等によって周囲の土砂等が崩壊し始めることが多い。このため該前進ステップの後に前記可動板移動ステップを行うようにすれば、該前進ステップによって前記一方よりも外側に存する土砂が前記一方の前縁よりも前方に存する空間を経て前記オープンシールド機に流入することを効果的に防止又は減少させることができる。
【００１４】
【発明の実施の形態】
以下、本発明の実施の形態を図面を参照して説明する。しかしながら、これらによって本発明は何ら制限されるものではない。
【００１５】
図１は、一実施形態の本機１１を示す平面図である。図１は、本機１１の可動板１３、２１が前方向（オープンシールド機１１が掘進する方向であり、図１中、矢印Ｆにて示す。）に最も突出した状態を示している。図２は、右側面板１５と左側面板１７との両側面板のうち右側面板１５を示す詳細平面図である。なお、ここでは前方向（本機１１が掘進する方向をいう。また、本機１１が掘進する方向とは反対方向を後方向という。）に向いた際に認識される右方向（図１中、矢印Ｒ方向）を「右」といい、左方向（図１中、矢印Ｌ方向）を「左」という。そして、図３は、図１及び図２中、矢印Ｇ方向から見た右側面板１５を示す詳細図である。
ここに左側面板１７及び可動板１３は、右側面板１５及び可動板２１と同様の構造を有しているので、以下、図２及び図３を参照して右側面板１５及び可動板２１について説明し、左側面板１７及び可動板１３についての説明は省略する。また、左側面板１７、可動板１３、右側面板１５及び可動板２１以外の部分については、本機１１は、図７において既に説明した従来のオープンシールド機１０１と同様の構造を有している（同じ参照番号が付された要素は、図７と図１とで同様の要素を示している。）。
【００１６】
右側面板１５は、互いに略平行な上縁１５ａ及び下縁１５ｂと、上縁１５ａと下縁１５ｂとを斜めに連絡する前縁１５ｃと、を有している（なお、図２及び図３中も、前方向を矢印Ｆにて、後方向を矢印Ｂにて、それぞれ示す。）。前縁１５ｃに沿って、土砂等を掘削するための刃先が形成されている。
一方、いずれも細長い略台形（上底と下底とが長い）の主表面をした４枚の可動板２１ａ、２１ｂ、２１ｃ、２１ｄが配設されている。４枚の可動板２１ａ、２１ｂ、２１ｃ、２１ｄはいずれも、上底と下底とを斜めに連絡する前縁２２ａ、２２ｂ、２２ｃ、２２ｄを有し、これら前縁２２ａ、２２ｂ、２２ｃ、２２ｄのいずれもそれらに沿って刃先が形成されている。
【００１７】
そして、４枚の可動板２１ａ、２１ｂ、２１ｃ、２１ｄは、いずれもその主表面（略台形面）が右側面板１５の主表面に略平行になるように、かつ可動板２１ａ、２１ｂ、２１ｃ、２１ｄの主表面が形成する略台形の底（上底、下底）が右側面板１５の上縁１５ａ及び下縁１５ｂに略平行になる状態を保って、前後方向（矢印Ｆ及び矢印Ｂの方向）に移動自在に右側面板１５に支持されている。具体的には、ここでは可動板２１ａ、２１ｂ、２１ｃ、２１ｄが、該状態を保ちつつ前後方向（矢印Ｆ及び矢印Ｂの方向）に移動自在になるように、可動板２１ａ、２１ｂ、２１ｃ、２１ｄそれぞれが遊嵌されるスリット状の遊嵌穴１６ａ、１６ｂ、１６ｃ、１６ｄが右側面板１５に形成されている。
【００１８】
さらに、４枚の可動板２１ａ、２１ｂ、２１ｃ、２１ｄの後端には、油圧ジャッキのピストン２４ａ、２４ｂ、２４ｃ、２４ｄの先端部分が連結されている。油圧ジャッキのシリンダー２５ａ、２５ｂ、２５ｃ、２５ｄは右側面板１５に取り付けられている。そして、これら油圧ジャッキのシリンダー２５ａ、２５ｂ、２５ｃ、２５ｄ内部には、図示しない油圧ユニットに接続された油圧ホースを通じて、自由に油を注入（圧送）したり抜き取ることができるようになっている（これらシリンダー２５ａ、２５ｂ、２５ｃ、２５ｄへの油の注入や抜き取りは各シリンダー毎に独立して行うことができる。）。即ち、シリンダー２５ａ、２５ｂ、２５ｃ、２５ｄに油を注入することでピストン２４ａ、２４ｂ、２４ｃ、２４ｄをのばすことができ、それに伴って、可動板２１ａ、２１ｂ、２１ｃ、２１ｄを、右側面板１５の前縁１５ｃ近傍から前方向へ突出させることができる（図２及び図３には、可動板２１ａ、２１ｂ、２１ｃ、２１ｄのいずれも最も前方向へ突出させた状態を図示している。）。また、逆に、シリンダー２５ａ、２５ｂ、２５ｃ、２５ｄから油を抜き取ることでピストン２４ａ、２４ｂ、２４ｃ、２４ｄを縮ませることができ、それに伴って、可動板２１ａ、２１ｂ、２１ｃ、２１ｄを、遊嵌穴１６ａ、１６ｂ、１６ｃ、１６ｄ内部に収容することができる（右側面板１５の前縁１５ｃの方が、前縁２２ａ、２２ｂ、２２ｃ、２２ｄよりも前方向に位置する。）。なお、右側面板１５の前縁１５ｃと、前縁２２ａ、２２ｂ、２２ｃ、２２ｄと、は互いに略平行になっている。
【００１９】
図４は、本機１１の使用方法の第１ステップを説明する平面図である。本機１１は、可動板２１ａ、２１ｂ、２１ｃ、２１ｄ及び可動板１３（可動板２１ａ、２１ｂ、２１ｃ、２１ｄと同様、４枚の可動板を有しているが、その最上部に位置する可動板１３ａを図示している。）を、それらが遊嵌される遊嵌穴１６ａ、１６ｂ、１６ｃ、１６ｄ及び可動板１３が遊嵌される遊嵌穴の内部に収容された状態にされている（シリンダー２５ａ、２５ｂ、２５ｃ、２５ｄから油を抜き取りピストン２４ａ、２４ｂ、２４ｃ、２４ｄを縮ませている。同様に、可動板１３ａを駆動するシリンダーとピストンを、シリンダー３２ａとピストン３１ａとして図示している。シリンダー３２ａから油を抜き取りピストン３１ａを縮ませている。）。図４に示すように可動板が引っ込められた状態では、本機１１は、図７に示した従来のオープンシールド機１０１と変わらないので、従来のオープンシールド機１０１と同様にオープンシールド工法を行うことができる。
【００２０】
そして、図４では、右側面板１５の前縁１５ｃに、玉石１０５が丁度当接している。玉石１０５は、図４中Ｋにて範囲を示した周囲の土砂等１０７のキーブロックとなっている。
さらに、本機１１の前方に存する土砂等を掘削するため、本機１１を前進（図４及び図５中、矢印Ｆ方向に移動させる。）させたところを図５に示した（即ち、オープンシールド機１１が前進して土砂を掘削する前進ステップが完了したところを示している。推進ジャッキ３がのびてフロントフレーム１とテールフレーム２との間がのびている。）。図５においては、本機１１を図４の状態からさらに前進させたことによって玉石１０５が外れている。前述のように、玉石１０５は、図４及び図５中Ｋにて範囲を示した周囲の土砂等１０７のキーブロックとなっていたので、図５のように玉石１０５が外れると周囲の土砂等１０７が崩壊し始める。周囲の土砂等１０７のうち、右側面板１５よりも外側（図５中、一点鎖線Ｐに対して矢印Ｑ側をいう。）に存する土砂が崩壊することは、前述のように、工事場所の周囲に陥没箇所を形成したり工事場所の周囲の地盤がゆるむことによって、周囲の構造物に障害を与えたり復旧に手間がかかるという大きな問題を引き起こすので、これをくい止めるために可動板２１ａ、２１ｂ、２１ｃ、２１ｄを突出させる（可動板移動ステップ）。
【００２１】
図６は、図５の状態から可動板２１ａ、２１ｂ、２１ｃ、２１ｄを突出させたところを示した図である（可動板移動ステップが完了したところを示している。また、可動板２１ａのみ図示している。）。この可動板２１ａ、２１ｂ、２１ｃ、２１ｄの突出は、前述のように、シリンダー２５ａ、２５ｂ、２５ｃ、２５ｄに油を注入することでピストン２４ａ、２４ｂ、２４ｃ、２４ｄをのばすことによって行えばよい。なお、このとき可動板２１ａ、２１ｂ、２１ｃ、２１ｄのうち前縁２２ａ、２２ｂ、２２ｃ、２２ｄが玉石等に当接してうまく突出させられないものがある場合には、それ以外の可動板を突出させればよい。
このように可動板２１ａ、２１ｂ、２１ｃ、２１ｄを突出させることで、周囲の土砂等１０７のうち右側面板１５よりも外側（図５中、一点鎖線Ｐに対して矢印Ｑ側をいう。）に存する土砂等が崩壊することを、突出した可動板２１ａ、２１ｂ、２１ｃ、２１ｄが防止又は減少させることができる（崩壊しようとする、右側面板１５よりも外側に存する土砂等を、突出した可動板２１ａ、２１ｂ、２１ｃ、２１ｄが支持することで、該土砂等の崩壊を防止又は減少させる。）。また、このとき図６のように、側面板１５の前縁１５ｃの前方に位置する土砂に、可動板２１ａ、２１ｂ、２１ｃ、２１ｄの前縁２２ａ、２２ｂ、２２ｃ、２２ｄに形成された刃先を差し込むようにすれば、側面板１５の前縁１５ｃよりも前方（矢印Ｆ方向）に存する隙間を可動板２１ａ、２１ｂ、２１ｃ、２１ｄによって確実に塞ぐことができるので該隙間を経て土砂等が本機１１の内部１９に流入することを一層確実に防止又は減少させることができると共に、土砂等によって可動板２１ａ、２１ｂ、２１ｃ、２１ｄに加わる力の一部を側面板１５の前縁１５ｃの前方に位置する土砂等に支持させることができるので、可動板２１ａ、２１ｂ、２１ｃ、２１ｄの破損等を防止することができる。
また、ここでは右側面板１５の前縁１５ｃに玉石１０５が当接した場合を示したが、左側面板１７の前縁に玉石１０５が当接した場合も同様にして周囲の土砂等のうち左側面板１７よりも外側（図５中、一点鎖線Ｒに対して矢印Ｓ側をいう。）に存する土砂等が崩壊することを、突出させた可動板１３（４枚の可動板を有している。）によって防止又は減少させることができる。
【００２２】
以上のように、本機１１は、オープンシールド機の両側面板１５、１７（右側面板１５と左側面板１７）の両方（少なくとも一方）の前縁（右側面板１５については前縁１５ｃ）近傍から出没自在になるように前後方向（本機１１が掘進する方向たる矢印Ｆの方向（前方向）、本機１１が掘進する方向とは反対方向である矢印Ｂの方向（後方向））に移動自在に支持される可動板２１ａ、２１ｂ、２１ｃ、２１ｄ、１３（可動板２１ａ、２１ｂ、２１ｃ、２１ｄと同様、可動板１３も４枚の可動板を有する。）と、可動板２１ａ、２１ｂ、２１ｃ、２１ｄ、１３を前後方向（矢印Ｆと矢印Ｂとの方向）に駆動する駆動手段と、を備えてなる、オープンシールド機である。ここに、駆動手段は、可動板２１ａ、２１ｂ、２１ｃ、２１ｄについては、シリンダー２５ａ、２５ｂ、２５ｃ、２５ｄとピストン２４ａ、２４ｂ、２４ｃ、２４ｄとによって構成され、可動板１３についても同様のシリンダーとピストンとによって構成されている（可動板１３ａを駆動するシリンダーとピストンとは、図４乃至図６にシリンダー３２ａとピストン３１ａとして図示されている。）。
【００２３】
また、本機１１においては、可動板２１ａ、２１ｂ、２１ｃ、２１ｄが、右側面板１５（前記一方）の前縁１５ｃに沿って上下方向（図３中、矢印Ｗ方向）に４枚（複数枚）配設されている。また、同様に、本機１１においては、可動板１３も、左側面板１７の前縁に沿って上下方向に４枚（複数枚）配設されている。そして、ここでは前述のように、両側面板１５、１７（右側面板１５と左側面板１７）の両方に可動板２１ａ、２１ｂ、２１ｃ、２１ｄ、１３が配設されている。
加えて、本機１１においては、可動板２１ａ、２１ｂ、２１ｃ、２１ｄ、１３の前縁（可動板２１ａ、２１ｂ、２１ｃ、２１ｄについては２２ａ、２２ｂ、２２ｃ、２２ｄ。４枚の可動板１３についてもこれと同様の前縁を有する。）に沿って刃先が形成されている。
【００２４】
また、本機１１を用いて行うオープンシールド工法では、側面板１５、１７（右側面板１５と左側面板１７）よりも外側（図５及び６中、一点鎖線Ｐに対して矢印Ｑ側と、一点鎖線Ｒに対して矢印Ｓ側と、をいう。）に存する土砂が側面板１５、１７（右側面板１５と左側面板１７）の前縁よりも前方（矢印Ｆ方向）に存する空間を経て本機１１に流入することを、可動板２１ａ、２１ｂ、２１ｃ、２１ｄ、１３を前方向（矢印Ｆ方向）に移動させて防止又は減少させる可動板移動ステップを含む。
さらに、本機１１を用いて行う上述したオープンシールド工法では、本機１１が前進して土砂を掘削する前進ステップの後に、可動板移動ステップを行うものである。それにより、該前進ステップによって生じる側面板１５、１７（右側面板１５と左側面板１７）よりも外側（図５及び６中、一点鎖線Ｐに対して矢印Ｑ側と、一点鎖線Ｒに対して矢印Ｓ側と、をいう。）に存する土砂が側面板１５、１７（右側面板１５と左側面板１７）の前縁よりも前方に存する空間を経て本機１１に流入することを、可動板移動ステップによって防止又は減少させることができる。
【図面の簡単な説明】
【図１】一実施形態の本機を示す平面図である。
【図２】右側面板を示す詳細平面図である。
【図３】図１及び図２中、矢印Ｇ方向から見た右側面板を示す詳細図である。
【図４】本機の使用方法の第１ステップを説明する平面図である。
【図５】本機を図４の状態からさらに前進させた状態を説明する平面図である。
【図６】図５の状態から可動板を突出させたところを示した図である。
【図７】従来から使用されてきたオープンシールド機の平面図である。
【図８】キーブロックの崩壊によるその周囲の土砂の崩壊を説明する図である。
【符号の説明】
１　　　　フロントフレーム
２　　　　テールフレーム
３　　　　推進ジャッキ
１１　　　　本機
１３、１３ａ、２１、２１ａ、２１ｂ、２１ｃ、２１ｄ　可動板
１５　　　　右側面板
１５ａ　　　上縁
１５ｂ　　　下縁
１５ｃ　　　前縁
１６ａ、１６ｂ、１６ｃ、１６ｄ　遊嵌穴
１７　　　　左側面板
１９　　　　内部
２２ａ、２２ｂ、２２ｃ、２２ｄ　前縁
２４ａ、２４ｂ、２４ｃ、２４ｄ、３１ａ　ピストン
２５ａ、２５ｂ、２５ｃ、２５ｄ、３２ａ　シリンダー
１０１　　　　従来のオープンシールド機
１０３　　　　側面板
１０３ａ　　　前縁
１０５　　　　玉石
１０７　　　　周囲の土砂等
１０７ａ　　　石
１０７ｂ　　　土砂
【図１】
2004116179.tif 000003
【図２】
2004116179.tif 000004
【図３】
2004116179.tif 000005
【図４】
2004116179.tif 000006
【図５】
2004116179.tif 000007
【図６】
2004116179.tif 000008
【図７】
2004116179.tif 000009
【図８】
2004116179.tif 000010